(57)【要約】【課題】ロック状態からアンロック状態へ切り替える操作性を高める。【解決手段】包装箱１は、本体箱１０に差し込まれた差込片３０を介して蓋部２０の揺動が規制されたロック状態と、蓋部２０の揺動が自在なアンロック状態とに切り替えられる。本体箱１０は、互いに間隔をおいて配置された内壁１ｉおよび外壁１ｏの間に差込片３０が差し込まれる二重壁１Ｆと、内壁１ｉの上端縁１ｕで下方に折り返された第一反力で外壁１ｏの内面Ｆｉへ向けて付勢される舌片１Ｔと、を有する。差込片３０は、ロック状態で舌片１Ｔの下端縁１ｄと向かい合う対向縁部３ｅを有し、二重壁１Ｆに差し込まれた状態で蓋部２０に対する折り倒しの第二反力で外壁１ｏの内面Ｆｉに押し当てられる。蓋部２０は、ロック状態のもとで舌片１Ｔにおける差込片３０よりも内側の部位が上面視で視認可能な箇所に配置された鍵穴部２Ｓを有する。【選択図】図３
2020169044.tif 000002
【特許請求の範囲】
【請求項１】
上部に開口の設けられた本体箱と、
前記本体箱に対して揺動自在に連設され、前記開口を開閉する蓋部と、
前記蓋部に対して折り倒され、前記開口が前記蓋部によって閉鎖された状態で前記本体箱に差し込まれる差込片と、を備え、
前記本体箱に差し込まれた前記差込片を介して前記蓋部の揺動が規制されたロック状態と、前記蓋部の揺動が自在なアンロック状態とに切り替えられる包装箱であって、
前記本体箱は、互いに間隔をおいて配置された内壁および外壁の間に前記差込片が差し込まれる二重壁と、前記内壁の上端縁で下方に折り返された第一反力で前記外壁の内面へ向けて付勢される舌片と、を有し、
前記差込片は、前記ロック状態で前記舌片の下端縁と向かい合う対向縁部を有し、前記二重壁に差し込まれた状態で前記蓋部に対する折り倒しの第二反力で前記外壁の前記内面に押し当てられ、
前記蓋部は、前記ロック状態のもとで前記舌片における前記差込片よりも内側の部位が上面視で視認可能な箇所に配置された鍵穴部を有する
ことを特徴とする包装箱。
【請求項２】
前記差込片は、前記対向縁部によって輪郭の一部が形成される係止穴を有する
ことを特徴とする請求項１に記載の包装箱。
【請求項３】
前記鍵穴部は、前記上端縁よりも前記内壁から前記外壁に向かう側に配置された
ことを特徴とする請求項１または２に記載の包装箱。
【請求項４】
前記鍵穴部は、前記部位のうち前記上端縁よりも外側の全領域が上面視で視認可能な形状に設けられた
ことを特徴とする請求項１〜３の何れか１項に記載の包装箱。
【請求項５】
前記鍵穴部に対して前記内壁から前記外壁に向かう側に隣接して配置され、前記鍵穴部よりも上方に突設された凸部を備えた
ことを特徴とする請求項１〜４の何れか１項に記載の包装箱。
【請求項６】
前記舌片は、先窄まりのテーパー形状に設けられた
ことを特徴とする請求項１〜５の何れか１項に記載の包装箱。
【請求項７】
請求項１〜６の何れか１項に記載の包装箱と、
前記鍵穴部に対して挿抜自在な平板状の挿抜部を有し、前記包装箱とは別個に設けられた鍵片と、を備え、
前記挿抜部は、前記鍵穴部に挿入されると前記部位を押し下げて前記第一反力の印加方向とは反対方向に前記舌片を押し戻す
ことを特徴とする鍵付き包装箱。
【請求項８】
前記挿抜部は、前記鍵穴部に挿入されたときに前記舌片の前記下端縁よりも下方に位置する寸法に設けられた
ことを特徴とする請求項７に記載の鍵付き包装箱。
【請求項９】
前記鍵片は、前記挿抜部が前記鍵穴部に挿入されると前記蓋部に当接して前記鍵穴部への前記挿抜部の挿入を規制する挿入規制部を有する
ことを特徴とする請求項７または８に記載の鍵付き包装箱。
【発明の詳細な説明】
【技術分野】
【０００１】
本発明は、開口を閉鎖している蓋部の揺動が規制されたロック状態と蓋部の揺動が自在なアンロック状態とに切り替えられる包装箱と、この包装箱をアンロック状態からロック状態へ切り替える鍵片も備えた鍵付き包装箱とに関する。
【背景技術】
【０００２】
蓋部が一体に設けられた箱の一つとして、本体箱の上部に設けられた開口が揺動自在な蓋部で開閉され、開口を閉鎖する蓋部の揺動が規制されたロック状態を保持する係止機構の設けられた包装箱が知られている。さらに、係止機構によるロック状態を解除する鍵片を備えた鍵付き包装箱も知られている。
たとえば、蓋側の蓋機構および本体箱側の本体機構からなる係止機構によるロック状態が鍵片の挿抜操作によってアンロック状態にされる鍵付き包装箱が特許文献１，２などに提案されている。
【０００３】
特許文献１には、蓋機構と本体機構とが交差してロック状態となり、蓋機構および本体機構の交差箇所に鍵片が差し込まれることによってロック状態からアンロック状態にされる鍵付き包装箱が示されている。この鍵付き包装箱では、互いに交差する蓋機構および本体機構の間に鍵片が差し込まれることによって、蓋機構と本体機構とが引き剥がされるようにして、ロック状態が解除される。
また、特許文献２には、ロック状態の蓋機構をなす片部の厚み部分に対して鍵片の厚み部分を突き当てることによってロック状態からアンロック状態にされる鍵付き包装箱が示されている。
【先行技術文献】
【特許文献】
【０００４】
【特許文献１】実用新案登録第3205205号公報
【特許文献２】特表2018-516816号公報
【発明の概要】
【発明が解決しようとする課題】
【０００５】
しかしながら、特許文献１の鍵付き包装箱によれば、鍵片が差し込まれることで蓋機構および本体機構が互いに交差した状態から引き剥がされると係止機構の破損を招くおそれがあり、ロック状態からアンロック状態へ切り替える操作が困難という課題が挙げられる。また、特許文献２の鍵付き包装箱によれば、ロック状態の蓋機構をなす片部の厚み部分に対して鍵片の厚み部分を突き当てられると、厚み部分どうしを互いに突き合わせるための精度や強度が要求されることにより、ロック状態からアンロック状態へ切り替える操作が困難という課題が挙げられる。
よって、ロック状態からアンロック状態へ切り替える操作性を高めるうえで改善の余地がある。
そのほか、特許文献１における鍵付き包装箱のロック構造は、その形状が複雑なため、包装箱を閉鎖してロック状態にする際の作業性に劣るという課題も挙げられる。また、特許文献２の鍵付き包装箱のロック構造は、単層からなる板紙に適用される構造であって、厚みのある段ボールシート素材に適用するのが困難である。
【０００６】
本発明の包装箱および鍵付き包装箱は、上記のような課題に鑑み創案されたものであり、ロック状態からアンロック状態へ切り替える操作性を高めることを目的の一つとする。なお、本目的に限らず、後述する「発明を実施するための形態」に示す各構成から導き出される作用および効果であって、従来の技術では得られない作用および効果を奏することも、本件の他の目的として位置付けることができる。
【課題を解決するための手段】
【０００７】
（１）ここで開示する包装箱は、上部に開口の設けられた本体箱と、前記本体箱に対して揺動自在に連設され、前記開口を開閉する蓋部と、前記蓋部に対して折り倒され、前記開口が前記蓋部によって閉鎖された状態で前記本体箱に差し込まれる差込片と、を備える。本包装箱は、前記本体箱に差し込まれた前記差込片を介して前記蓋部の揺動が規制されたロック状態と、前記蓋部の揺動が自在なアンロック状態とに切り替えられる。
前記本体箱は、互いに間隔をおいて配置された内壁および外壁の間に前記差込片が差し込まれる二重壁と、前記内壁の上端縁で下方に折り返された第一反力で前記外壁の内面へ向けて付勢される舌片と、を有する。前記差込片は、前記ロック状態で前記舌片の下端縁と向かい合う対向縁部を有し、前記二重壁に差し込まれた状態で前記蓋部に対する折り倒しの第二反力で前記外壁の前記内面に押し当てられる。前記蓋部は、前記ロック状態のもとで前記舌片における前記差込片よりも内側の部位が上面視で視認可能な箇所に配置された鍵穴部を有する。
【０００８】
（２）ここで鍵付き包装箱は、上記の包装箱と、前記鍵穴部に対して挿抜自在な平板状の挿抜部を有し、前記包装箱とは別個に設けられた鍵片と、を備える。前記挿抜部は、前記鍵穴部に挿入されると前記部位を押し下げて前記第一反力の印加方向とは反対方向に前記舌片を押し戻す。
【発明の効果】
【０００９】
本発明の包装箱および鍵付き包装箱によれば、ロック状態からアンロック状態へ切り替える操作性を高めることができる。さらに、包装箱をロック状態にする際の作業性を確保することができ、厚みのある段ボールシート素材に適用することもできる。
【図面の簡単な説明】
【００１０】
【図１】蓋部の閉鎖された鍵付き包装箱を示す斜視図である。
【図２】蓋部の開放された包装箱を示す斜視図である。
【図３】図１のＩＩＩ−ＩＩＩ矢視断面図であり、（Ａ）はロック状態を示し、（Ｂ）はアンロック状態を示す。
【図４】包装箱に組み立てられるシート材を示す平面図である。
【発明を実施するための形態】
【００１１】
以下、実施形態としての鍵付き包装箱を説明する。鍵付き包装箱は、包装箱および鍵片を備えている。
本実施形態の包装箱や鍵片は、平面状のシート材からなる包装用具である。シート材は、所定の形状への切り取りや罫線の付与といった加工が施されている。シート材には、段ボールシートや厚紙などの包装資材が用いられる。
【００１２】
本実施形態では、包装箱およびシート材が水平面に載置されたものとし、説明で用いる方向を下記のように定義する。
包装箱については、水平方向を前後方向（図中には前方を「Ｆ」で示すとともに後方を「Ｂ」で示す）および左右方向（図中には左方を「Ｌ」で示すとともに右方を「Ｒ」で示す）に細別して説明する。左右方向については、前方から後方へ向いた状態を基準に左右を定める。また、鉛直方向のうち重力の作用方向を下方（図中には「Ｄ」で示す）とし、下方の反対方向を上方（図中には「Ｕ」で示す）とする。
【００１３】
また、包装箱の内部に向かう側を内側とし、内側の反対側を外側とする。そのほか、上方から下方を視ることを上面視とする。
シート材については、水平方向において互いに直交するＸ方向およびＹ方向を用いて説明する。Ｘ方向およびＹ方向のそれぞれは、互いに反対向きの二方向に延びる。そこで、Ｘ方向の一方をＸ1方向とし、他方をＸ2方向とする。同様に、Ｙ方向の一方をＹ1方向とし、他方をＹ2方向とする。
【００１４】
［Ｉ．一実施形態］
［１．構成］
下記の一実施形態では、項目［１］で構成を述べる。この項目［１］では、小項目［１．１］で鍵付きの包装箱を説明し、小項目［１．２］でシート材を説明する。そして、項目［２］で項目［１］の構成による作用および効果を述べる。
【００１５】
［１．１．鍵付き包装箱］
図１に示すように、鍵付き包装箱は、包装箱１と、包装箱１とは別個（別体）に設けられた鍵片２とを備えている。
図１および図２に示すように、包装箱１は、以下に示す三つの部位に大別される。
・本体箱１０：上部に開口９の設けられた部位
・ 蓋部２０ ：開口９を開閉する部位
・差込片３０：本体箱１０に差し込まれる部位
【００１６】
本実施形態の包装箱１は、蓋部２０で開口９が閉鎖されて本体箱１０に差込片３０が差し込まれた状態（以下「差込状態」と称する）において、ロック状態とアンロック状態とに切り替えられる。
ここでいう「ロック状態」とは、本体箱１０に係止された差込片３０を介して蓋部２０の揺動が規制された状態である。「アンロック状態」とは、本体箱１０に対して差込片３０や蓋部２０が係止されておらず、蓋部２０の揺動が自在な状態である。
【００１７】
開口９の開放された包装箱１は、差込片３０が本体箱１０に差し込まれると、鍵片２を用いることなく自動的にアンロック状態からロック状態へ移行する。一方、ロック状態の包装箱１は、鍵片２が差し込まれることによってロック状態からアンロック状態へ移行する。
以下、包装箱１の基本構成を説明し、その後に包装箱１をロック状態にするためやロック状態からアンロック状態に切り替えるための詳細構成を説明する。
【００１８】
――基本構成――
包装箱１は、本体箱１０，蓋部２０および差込片３０が一体に設けられている。
本体箱１０に対して蓋部２０が揺動自在に連設され、蓋部２０に対して差込片３０も揺動自在に連設されている。すなわち、差込片３０は、蓋部２０を介して本体箱１０に連設され、本体箱１０とは不連続に設けられる。蓋部２０に対して折り倒された差込片３０は、本体箱１０へ差し込まれる。
【００１９】
〈本体箱〉
本体箱１０は、図２に示すように、有底の筒状をなすトレイ型の部位である。ここでは、四角筒の下方に底が設けられた本体箱１０を例示する。
この本体箱１０には、水平方向に沿って延在する底壁１１（「底」に対応）と、上下方向に沿って延在する立壁１２（「四角筒」に対応）とが設けられている。
【００２０】
底壁１１は、上面視で矩形状に設けられている。底壁１１に対して、つぎに説明する立壁１２が連設されている。
立壁１２には、左右に配置された側壁１Ｓ，１Ｓと、側壁１Ｓ，１Ｓの前端縁どうしを結ぶ前壁１Ｆ（二重壁）と、側壁１Ｓ，１Ｓの後端縁どうしを結ぶ後壁１Ｂとが設けられている。これらの壁１Ｓ，１Ｓ，１Ｆ，１Ｂの上端縁で開口９が囲繞される。
【００２１】
側壁１Ｓ，１Ｓは、底壁１１の左右端縁から折り立てられている。
ここでは、側壁１Ｓ，１Ｓの上端縁に対して揺動自在にフラップ１３，１３が連設され、フラップ１３，１３が開口９の一部を閉鎖する内蓋をなす。
前壁１Ｆは、底壁１１の前端縁から折り立てられている。
この前壁１Ｆは、内壁１ｉおよび外壁１ｏを備えた二重壁構造をなしている。前壁１Ｆでは、内壁１ｉおよび外壁１ｏが前後方向に間隔をおいて配置され、内壁１ｉおよび外壁１ｏの上端縁どうしを結ぶ上面部Ｆｕが設けられている。
【００２２】
なお、内壁１ｉおよび外壁１ｏが前後方向に離間する間隔は、差込片３０，鍵片２および後述する舌片１Ｔの厚み寸法の総計よりも大きく設定されている。このような大きさの間隔に対応した大きさに上面部Ｆｕの前後方向寸法も設定されている。
この前壁１Ｆには、差込片３０が差し込まれる差込口１ｍが形成され、この差込口１ｍから内壁１ｉと外壁１ｏとの間に差込片３０が差し込まれる。
【００２３】
ここで例に挙げる前壁１Ｆは、いわゆる額縁タイプの構造をなしており、外壁１ｏが底壁１１の前端縁から折り立てられ、外壁１ｏに対して上面部Ｆｕを介した内壁１ｉが内側に折り返されている。そして、内壁１ｉの先端が底壁１１に穿設された掛着穴１ｈに引っ掛けられた状態で、内壁１ｉが固定されている。
後壁１Ｂは、底壁１１の後端縁から折り立てられている。ここでは、後壁１Ｂから突出して設けられた糊代部１Ｇが立壁１２のうち右側の側壁１Ｓに貼り付けられている。このように設けられる後壁１Ｂの上端縁には、つぎに説明する蓋部２０が揺動自在に連設されている。
【００２４】
〈蓋部〉
蓋部２０は、後壁１Ｂの上端縁に対して連設された箇所を枢軸に揺動する一枚物の蓋をなす。
この蓋部２０は、開口９を被覆可能な大きさに形成され、底壁１１と同様の矩形状に設けられている。
【００２５】
蓋部２０の先端部２ｔが上面部Ｆｕに載置されると開口９が閉鎖され、開口９を閉鎖する蓋部２０が上方へ揺動されると開口９が開放される。開口９が開放された状態では、本体箱１０の内部に包装対象の物品（包装物）を出し入れすることができる。
上記のように構成される蓋部２０の先端部２ｔに対して、つぎに説明する差込片３０が連設されている。
【００２６】
〈差込片〉
差込片３０は、蓋部２０に対して折り倒された状態で前壁１Ｆの内壁１ｉと外壁１ｏとの間に差し込まれる。この差込片３０は、蓋部２０の先端部２ｔのうち左右方向中央（一部）から突設されている。
差込状態では、蓋部２０の先端部２ｔに対する折り倒しの反力（第二反力）で差込片３０が外壁１ｏの内面Ｆｉに押し当てられる。
【００２７】
――詳細構成――
つぎに、包装箱１をロック状態にするための構成を説明し、その後にロック状態からアンロック状態に切り替えるための構成を説明する。前者の構成には包装箱１の構成のみが含まれ、後者の構成には包装箱１の構成だけでなく鍵片２の構成が含まれる。
【００２８】
〈ロック状態にするための構成〉
本実施形態の包装箱１には、図２および図３（Ａ）に示すように、差込片３０を本体箱１０に係止する機構（係止機構）として、内壁１ｉに連設された舌片１Ｔ（第一機構）と、差込片３０に設けられた係止穴３Ｈ（第二機構）とが設けられている。
【００２９】
舌片１Ｔは、内壁１ｉと外壁１ｏとの間に設けられ、内壁１ｉの上端縁１ｕで下方に折り返されて先端縁１ｄ（下端縁）が下端に位置する。
このように折り返された舌片１Ｔは、図３（Ａ）に示すように、折り返しの反力（第一反力）で外壁１ｏの内面Ｆｉへ向けて付勢される。ロック状態の包装箱１では、舌片１Ｔの先端縁１ｄが外壁１ｏの内面Ｆｉに押し当てられている。
ここでは、図２に示すように、先端縁１ｄ（基端側から先端側）に向かうほど左右方向の寸法が小さくなる先窄まりのテーパー形状に舌片１Ｔが形成されている。
【００３０】
係止穴３Ｈは、差込片３０の一部が穿設された貫通穴である。
差込口１ｍに差し込まれた差込片３０では、ロック状態で舌片１Ｔの先端縁１ｄと向かい合う対向縁部３ｅによって係止穴３Ｈをなす輪郭のうち下部（一部）が形成されている。すなわち、ロック状態において、差込片３０において係止穴３Ｈの下方に位置する対向縁部３ｅが舌片１Ｔの先端縁１ｄと対向する。
図２では、舌片１Ｔの形状に対応したテーパー形状の係止穴３Ｈを例示する。
【００３１】
〈ロック状態からアンロック状態に切り替えるための構成〉
図３（Ｂ）に示すように、アンロック状態では、係止穴３Ｈに対する舌片１Ｔの引っ掛かり（係止）が鍵穴部２Ｓに差し込まれた鍵片２によって解除される。
以下、鍵穴部２Ｓ，鍵片２の順に各構成を説明する。
【００３２】
鍵穴部２Ｓは、蓋部２０の一部が穿設された貫通穴である。
図３（Ａ）に示すように、鍵穴部２Ｓの配置箇所は、ロック状態のもとで舌片１Ｔにおける差込片３０よりも内側の部位（以下「内側部」と称する）１ｐが上面視で視認可能な箇所である。すなわち、ロック状態のもとでは鍵穴部２Ｓの下方に舌片１Ｔの内側部１ｐが位置する。
さらに、内壁１ｉの上端縁１ｕよりも前側（内壁１ｉから外壁１ｏに向かう側）に鍵穴部２Ｓが配置されている。言い換えれば、内壁１ｉの上端縁１ｕが上面視で視認不能な箇所に鍵穴部２Ｓが配置される。
【００３３】
この鍵穴部２Ｓは、舌片１Ｔの内側部１ｐのうち内壁１ｉの上端縁１ｕよりも外側の全領域が上面視で視認可能な形状に設けられている。換言すれば、ロック状態のもとで舌片１Ｔの内側部１ｐにおける内壁１ｉよりも前側であって差込片３０よりも後側の全領域が鍵穴部２Ｓの下方に位置する。
ここでは、左右方向に延在するスリット状の鍵穴部２Ｓを例示する。
【００３４】
図１および図３（Ｂ）に示すように、鍵片２には、鍵穴部２Ｓに対して挿抜自在に設けられた挿抜部２Ｍが設けられている。さらに、挿抜部２Ｍが鍵穴部２Ｓに挿入されると蓋部２０に当接して鍵穴部２Ｓへの挿抜部２Ｍの挿入を規制する持手部２Ｈ（挿入規制部）も鍵片２に設けられている。
この鍵片２は、図１に示すように、折り立てられることなく切り抜かれただけの平板状をなす部材であり、Ｔ字形をなす。このＴ字は、縦辺が挿抜部２Ｍに対応し、横辺が持手部２Ｈに対応する。ここでは、手で持ち易いように穴が穿設された鍵片２を例示する。
【００３５】
図３（Ｂ）に示すように、挿抜部２Ｍは、鍵穴部２Ｓに挿入されると舌片１Ｔの内側部１ｐを押し下げ、折り返された舌片１Ｔを後方（反力の印加方向とは反対方向）に押し戻す。言い換えれば、挿抜部２Ｍは、ロック状態では係止穴３Ｈの下方に位置する対向縁部３ｅと向かい合う先端縁１ｄを有する舌片１Ｔを後側に押し戻す解錠用の部位である。
上記の挿抜部２Ｍは、鍵穴部２Ｓに挿入されたときに舌片１Ｔの先端縁１ｄよりも下方に位置する上下方向寸法に設けられている。
【００３６】
さらに、挿抜部２Ｍは、鍵穴部２Ｓに挿入されたときに前面視で（外壁１ｏから内壁１ｉへ向かう方向から視て）舌片１Ｔの全てを覆うように形状や大きさに設定されている。
なお、鍵穴部２Ｓに鍵片２が挿抜される姿勢において、上面視で挿抜部２Ｍの全てが鍵穴部２Ｓと重複する大きさに設けられ、上面視で持手部２Ｈが鍵穴部２Ｓからはみ出す大きさに設けられている。具体的に言えば、鍵穴部２Ｓに挿抜される姿勢の鍵片２では、挿抜部２Ｍよりも鍵穴部２Ｓの左右方向寸法が大きく、この鍵穴部２Ｓよりも持手部２Ｈの左右方向寸法が大きく形成されている。また、鍵穴部２Ｓに挿抜される姿勢の鍵片２において、挿抜部２Ｍおよび持手部２Ｈの前後方向寸法（厚み寸法）が同等に設定され、この前後方向寸法は鍵穴部２Ｓよりも小さく設定されている。
【００３７】
そのほか、鍵穴部２Ｓに対する挿抜部２Ｍ（鍵片２）の挿抜を案内するガイド部４０（凸部）も設けられている。
ガイド部４０は、鍵穴部２Ｓに対して前側（内壁１ｉから外壁１ｏに向かう側）に隣接して配置され、鍵穴部２Ｓよりも上方に突出している。
このガイド部４０は、鍵穴部２Ｓの左方，右方および後方の輪郭を切り抜いた部位が折り立てられた部位であり、鍵穴部２Ｓの前後方向寸法に対応する上下方向寸法を有する。すなわち、鍵穴部２Ｓの切り抜きによる形成を利用してガイド部４０が突設され、鍵穴部２Ｓにガイド部４０が併設されている。
【００３８】
［１．２．シート材］
つぎに、図４を参照して、包装箱１に組み立てられるシート材１′を説明する。図４には、切線を太線で示し、罫線（折曲線）を細線で示す。切線には、シート材１′の外形線とシート材１′を厚み方向に貫通する切れ込み線とが含まれる。
シート材１′には、段ボールシートが用いられ、フルート（「段目」とも称される）がＹ方向に沿って設けられている。
【００３９】
以下、シート材１′の各部位については、包装箱１で対応する部位の名称における末尾に「シート片」に付記した名称で呼び、符号の末尾に「′」を付加する。たとえば、底壁１１に対応する部位を底壁シート片１１′と称する。
シート材１′には、Ｘ方向に沿う五種の罫線Ｓ１〜Ｓ５が設けられ、Ｙ方向に沿う四種の罫線Ｃ１〜Ｃ４が設けられている。
【００４０】
罫線Ｓ１〜Ｓ５は、包装箱１において水平方向に延びる端縁に対応する罫線である。これらの罫線Ｓ１〜Ｓ５は、Ｙ1方向からＹ2方向へ向けて、下罫線Ｓ１，上罫線Ｓ２，内罫線Ｓ３，折返罫線Ｓ４，折倒罫線Ｓ５がこの順に並んで形成されている。
罫線Ｃ１〜Ｃ４は、包装箱１における立壁１２の角部で上下方向に延びる端縁に対応する罫線である。これらの罫線Ｃ１〜Ｃ４は、Ｘ1方向からＸ2方向へ向けて、第一罫線Ｃ１，第二罫線Ｃ２，第三罫線Ｃ３，第四罫線Ｃ４がこの順に並んで形成されている。
【００４１】
下罫線Ｓ１に対してＹ1方向側には、底壁シート片１１′が設けられている。ここでは、いわゆる地獄底（「アメリカンロック」とも称される）タイプをなす四つの底壁シート片１１′を例示する。なお、いわゆるワンタッチタイプやＡ式タイプといったさまざまな公知の底壁シート片１１′を採用してもよい。
下罫線Ｓ１に対してＹ2方向側かつ上罫線Ｓ２に対してＹ1方向側には、Ｘ1方向からＸ2方向へ向けて、包装箱１の左側に配置される側壁シート片１Ｓ′，前壁シート片１Ｆ′の外壁シート片１ｏ′，包装箱１の右側に配置される側壁シート片１Ｓ′，後壁シート片１Ｂ′，糊代部シート片１Ｇ′がこの順に設けられている。
【００４２】
包装箱１の左側に配置される側壁シート片１Ｓ′と外壁シート片１ｏ′との間には第一罫線Ｃ１が設けられ、外壁シート片１ｏ′と包装箱１の右側に配置される側壁シート片１Ｓ′との間には第二罫線Ｃ２が設けられる。
また、包装箱１の右側に配置される側壁シート片１Ｓ′と後壁シート片１Ｂ′との間には第三罫線Ｃ３が設けられ、後壁シート片１Ｂ′と糊代部シート片１Ｇ′との間には第四罫線Ｃ４が設けられる。糊代部シート片１Ｇ′は、左側に配置される側壁シート片１Ｓ′に貼り付けられる。
【００４３】
側壁シート片１Ｓ′，１Ｓ′に対して上罫線Ｓ２を介したＹ2方向側には、フラップシート片１３′，１３′が設けられている。
外壁シート片１ｏ′に対して上罫線Ｓ２を介したＹ2方向側かつ内罫線Ｓ３よりもＹ1方向側には上面部シート片Ｆｕ′が設けられている。上面部シート片Ｆｕ′に対して内罫線Ｓ３を介したＹ2方向側には、前壁シート片１Ｆ′の内壁シート片１ｉ′が設けられている。
内壁シート片１ｉ′に対して折返罫線Ｓ４を介したＹ1方向側には、舌片シート片１Ｔ′が設けられている。この舌片シート片１Ｔ′は、上罫線Ｓ２および内罫線Ｓ３をＹ方向に跨ぐ領域に延在して設けられている。
【００４４】
後壁シート片１Ｂ′に対して上罫線Ｓ２を介したＹ2方向側には、蓋部シート片２０′が設けられている。蓋部シート片２０′に対して折倒罫線Ｓ５を介してＹ2方向側には、差込片シート片３０′が設けられている。この差込片シート片３０′には、係止穴３Ｈ（図２参照）に対応する貫通穴が切り抜かれている。
折倒罫線Ｓ５に対してＹ1方向側かつＸ方向中央には、Ｙ2方向に開放側を向けたコ字形の切れ込みで囲まれる部位にガイド部シート片４０′が設けられ、このガイド部シート片４０′が折り立てられると鍵穴部２Ｓ（図２参照）が形成される。
【００４５】
また、内壁シート片１ｉ′，舌片シート片１Ｔ′，外壁シート片１ｏ′，上面部シート片Ｆｕ′で囲まれる貫通穴が差込片３０の差し込まれる差込口１ｍに対応する部位として切り抜かれている。
そのほか、底壁シート片１１′のうち前壁シート片１Ｆ′に対して下罫線Ｓ１を介したＹ1方向側には、掛着穴１ｈ（図２参照）に対応するスリット状の貫通穴が切り抜かれている。
【００４６】
［２．作用および効果］
本実施形態は、上述のように構成されるため、以下のような作用および効果を得ることができる。
まず、アンロック状態からロック状態への切り替えに関する作用αを述べ、その後にロック状態からアンロック状態へ切り替えに関する作用βを述べる。
【００４７】
〈作用α〉
包装箱１がアンロック状態からロック状態へと切り替わるときには、包装箱１において外壁１ｏと内壁１ｉとの間に差込片３０が下方へ差し込まれる。この差込片３０は、蓋部２０に対して折り倒された反力で外壁１ｏの内面Ｆｉに押し当てられながら、外壁１ｏの内面Ｆｉと摺接する。このとき、外壁１ｏの内面Ｆｉと舌片１Ｔの先端縁１ｄとの間に対向縁部３ｅが差し込まれてから、係止穴３Ｈを通して外壁１ｏの内面Ｆｉに押し当てられる舌片１Ｔの先端縁１ｄが対向縁部３ｅの上方に位置する。
【００４８】
このようにして舌片１Ｔの先端縁１ｄと差込片３０の対向縁部３ｅとが向かい合うため、上方（閉鎖された開口９を開放させる方向）に蓋部２０を揺動させようとしたとしても、舌片１Ｔの先端縁１ｄに対向縁部３ｅが突き当たって、蓋部２０の揺動が規制される。
上記のようにして、ロック状態が保持される。
【００４９】
〈作用β〉
包装箱１がロック状態からアンロック状態へと切り替わるときには、ロック状態の包装箱１において、蓋部２０の鍵穴部２Ｓに鍵片２の挿抜部２Ｍが挿入される。この挿抜部２Ｍで舌片１Ｔの内側部１ｐが押し下げられて後方に押し戻される。このとき、鍵穴部２Ｓに挿入されている挿抜部２Ｍが舌片１Ｔの内側部１ｐに上方から下方へ摺接する。このようにして、差込片３０の対向縁部３ｅに対して上方に位置していた舌片１Ｔの先端縁１ｄが退かせられることにより、舌片１Ｔに差込片３０が引っ掛かることなく蓋部２０を開放することのできるアンロック状態となる。
【００５０】
上記のようにして、ロック状態の包装箱１を鍵片２でアンロック状態に切り替えることができる。
なお、差込状態のままで鍵片２を抜き取れば、鍵片２による舌片１Ｔの押し戻しが解除され、包装箱１は再びロック状態となる。一方、アンロック状態のまま蓋部２０を開放してから鍵片２を抜き取れば、包装箱１は蓋部２０の開放されたアンロック状態となる。
【００５１】
つづいて、差込状態の包装箱１に関する詳細な作用および効果を述べる。
（１）ロック状態の包装箱１では、差込片３０が前壁１Ｆに押し付けられ、差込片３０の係止穴３Ｈを通じて舌片１Ｔも前壁１Ｆに押し付けられることから、差込片３０および舌片１Ｔは双方とも前壁１Ｆで位置が規制される。そして、舌片１Ｔの先端縁１ｄと差込片３０の対向縁部３ｅとが向かい合ったロック状態にすることができる。このような相対配置の差込片３０および舌片１Ｔを互いに引き剥がすことなくロック状態からアンロック状態へ鍵片２によって切り替えられるため、差込片３０および舌片１Ｔの破損を抑えることができる。
【００５２】
包装箱１がロック状態からアンロック状態に切り替えられるときには、舌片１Ｔの内側部１ｐに対する鍵片２の挿抜部２Ｍの摺接によって、舌片１Ｔの先端縁１ｄが後方に押し戻される。そのため、片部の厚み部分どうしを突き合わせる鍵付き包装箱と比較して、要求される精度や強度を抑えることができる。
よって、包装箱１をロック状態からアンロック状態へ切り替える操作性（以下「切替操作性」と略称する）を高めることができる。
さらに、簡素な形状の舌片１Ｔや差込片３０によって包装箱１の蓋部２０を閉鎖してロック状態にすることができ、この際の作業性を確保することができ、厚みのある段ボールシート素材に適用することもできる。
【００５３】
（２）ロック状態の包装箱１において舌片１Ｔの内側部１ｐが上面視で視認可能な箇所に鍵穴部２Ｓが配置されることから、鍵穴部２Ｓに挿入される挿抜部２Ｍを平板状の簡素な構成とすることができる。
更に言えば、鍵片２の挿抜部２Ｍに限らず、鍵穴部２Ｓに挿入可能であって舌片１Ｔの内側部１ｐを押し下げ可能なサイズの代用物であれば、包装箱１のユーザによって用意された平板状の代用物を鍵穴部２Ｓに挿入してもよい。このような鍵片２の代用物によっても、ロック状態の包装箱１をアンロック状態に切り替えることができる。
この点からも、切替操作性を高めるのに資する。
【００５４】
（３）差込片３０に設けられた係止穴３Ｈをなす輪郭の一部が対向縁部３ｅによって形成されることから、対向縁部３ｅに舌片１Ｔの先端縁１ｄが突き当てられたときの抗力を係止穴３Ｈに対して左右の部位に分散させることができる。たとえば係止穴３Ｈの左方および右方の何れか一方の領域が切り欠かれた差込片（いわばＣ字形やコ字形の差込片）と比較して、ロック状態に包装箱１を確実に保持することができる。
【００５５】
（４）内壁１ｉの上端縁１ｕよりも前側に鍵穴部２Ｓが配置されることから、鍵穴部２Ｓに挿入された挿抜部２Ｍが内壁１ｉの上端縁１ｕに突き当たったりこの上端縁１ｕよりも内側に挿入されたりするのを抑えることができる。そのため、鍵片２の挿抜部２Ｍが適切な箇所へ挿入されやすくなる。
さらに、舌片１Ｔの内側部１ｐのうち内壁１ｉの上端縁１ｕよりも外側の全領域が上面視で視認可能な形状に鍵穴部２Ｓが設けられることから、鍵片２の挿抜部２Ｍが舌片１Ｔの内側部１ｐを確実に押し下げることができる。
これらの点からも、切替操作性を高めるのに寄与する。
【００５６】
（５）鍵穴部２Ｓに対して前側に隣接して配置されたガイド部４０が鍵穴部２Ｓよりも上方に突設されることから、挿抜部２Ｍの鍵穴部２Ｓに対する挿抜が案内されるため、切替操作性を高めるのに資する。
（６）先端縁１ｄに向かうほど左右方向の寸法が小さくなる先窄まりのテーパー形状に舌片１Ｔが形成されることから、鍵片２の挿抜部２Ｍで押し下げられはじめの基端側における左右方向の寸法を確保することができる。この点からも、切替操作性の向上に寄与する。
【００５７】
（７）鍵穴部２Ｓに挿入されたときに舌片１Ｔの先端縁１ｄよりも下方に位置する上下方向寸法に挿抜部２Ｍが設けられることから、舌片１Ｔの上下方向全域を挿抜部２Ｍで押し下げて後方に押し戻すことができる。さらに、鍵穴部２Ｓに挿入されたときに前面視で舌片１Ｔの全てを覆うように挿抜部２Ｍの形状や大きさが設定されることから、舌片１Ｔの全域を挿抜部２Ｍで押し下げて後方に押し戻すことができる。よって、切替操作性が向上する。
（８）そのほか、挿抜部２Ｍが鍵穴部２Ｓに挿入されると蓋部２０に当接して鍵穴部２Ｓへの挿抜部２Ｍの挿入を規制する持手部２Ｈが鍵片２に設けられることから、鍵穴部２Ｓに鍵片２の全てが挿入されることが防止される。よって、鍵穴部２Ｓに対する鍵片２の挿抜操作性を向上させることができる。
【００５８】
［ＩＩ．その他］
上述した実施形態はあくまでも例示に過ぎず、この実施形態で明示しない種々の変形や技術の適用を排除する意図はない。本実施形態の各構成は、それらの趣旨を逸脱しない範囲で種々変形して実施することができる。また、必要に応じて取捨選択することができ、適宜組み合わせることもできる。
【００５９】
たとえば、差込片は、少なくとも対向縁部が設けられていればよく、係止穴は必須ではない。具体例を挙げれば、上述の係止穴に対して下方および上方を結ぶ左方および右方の一方の部位だけが残された差込片を採用してもよい。
また、差込片は、前壁に差し込まれるのに替えてまたは加えて、左右の何れか一方または双方に差し込まれてもよい。この場合には、蓋部に対して左右の一方または双方の端縁から差込片が突設され、側壁のうち左右の一方または双方に舌片の突設された内壁および外壁が採用される。
【００６０】
さらに、鍵穴部の配置は、差込状態において少なくとも舌片の内側部が上面視で視認可能な箇所に配置されていればよく、内側部の一部のみが上面視で視認可能な箇所に配置されてもよいし、上端縁が上面視で視認可能な箇所に配置されてもよい。
あるいは、舌片や係止穴の形状には、先窄まりのテーパー形状に限らず、種々の形状を採用することができる。鍵片は、少なくとも挿抜部が設けられていればよく、挿入規制部を省略してもよい。そのほか、ガイド部を省略してもよい。
【００６１】
なお、鍵付き包装箱には鍵片が必須であるものの、包装箱に鍵片は必須ではない。
鍵片を備えていない包装箱は、鍵片の代用物が包装箱のユーザによって用意されれば、その代用物を鍵穴部に挿抜することによって、ロック状態からアンロック状態に切り替えることができる。
そのほか、上述の包装箱や鍵付き包装箱は、開口が上方に設けられた配向に限定されず、任意の配向であってもよい。具体例を挙げれば、下記の表１に示すように、上述の実施形態に記された方向を他の配向１〜５の方向に読み替えてもよい。
【００６２】
【表１】
2020169044.tif 000003
【符号の説明】
【００６３】
１    包装箱
１０    本体箱
１１    底壁
１２    立壁
１３    フラップ
１Ｂ    後壁
１Ｆ    前壁（二重壁）
１Ｇ    糊代部
１Ｓ    側壁
１Ｔ    舌片（第一機構）
１ｄ    先端縁
１ｈ    掛着穴
１ｉ    内壁
１ｍ    差込口
１ｏ    外壁
１ｐ    内側部（内側の部位）
１ｕ    内壁１ｉの上端縁
２    鍵片
２０    蓋部
２Ｈ    持手部（挿入規制部）
２Ｍ    挿抜部
２Ｓ    鍵穴部
２ｄ    下端縁
２ｔ    先端部
３０    差込片
３Ｈ    係止穴（第二機構）
３ｅ    対向縁部
４０    ガイド部（凸部）
９    開口
Ｃ１    第一罫線
Ｃ２    第二罫線
Ｃ３    第三罫線
Ｃ４    第四罫線
Ｆｉ    外壁１ｏの内面
Ｆｕ    上面部
Ｓ１    下罫線
Ｓ２    上罫線
Ｓ３    内罫線
Ｓ４    折返罫線
Ｓ５    折倒罫線
【図１】
2020169044.tif 000004
【図２】
2020169044.tif 000005
【図３】
2020169044.tif 000006
【図４】
2020169044.tif 000007